(57)【要約】【解決手段】  バッテリアセンブリの保護装置及び保護システムが提供される。バッテリアセンブリはN個のセルを備える。保護装置は、N個のセル中のM個のセル(1＜M≦N)に夫々並列に接続され、接続されたセルの電圧に従って出力電流を生成するように構成されたM個の第１定電流源を有する定電流源モジュールと、N個のセルに夫々並列に接続され、サンプリング電圧を出力するように構成されたN個の電圧サンプリングユニットを有する電圧サンプリングモジュールと、電圧サンプリングモジュールに接続され、いずれか一つの電圧サンプリングユニットから出力されたサンプリング電圧が所定値に達した場合に第１切断信号を生成するように構成された判定モジュールと、判定モジュールに接続され、第１切断信号に従ってバッテリアセンブリをオフに制御するように構成された保護制御モジュールとを備える。
2016504898.tif 000002
【特許請求の範囲】
【請求項１】
３以上の整数であるN個のセルを備えるバッテリアセンブリの保護装置であって、
前記N個のセル中のNより小さい正の整数であるM個のセルに夫々並列に接続され、接続されたセルの電圧に従って出力電流を生成するように構成されたM個の第１定電流源を有する定電流源モジュールと、
前記N個のセルに夫々並列に接続され、サンプリング電圧を出力するように構成されたN個の電圧サンプリングユニットを有する電圧サンプリングモジュールと、
該電圧サンプリングモジュールに接続され、前記N個の電圧サンプリングユニットのいずれか一つから出力されるサンプリング電圧が所定値に達した場合に第１切断信号を生成するように構成された判定モジュールと、
該判定モジュールに接続され、前記第１切断信号に従って前記バッテリアセンブリをオフに制御するように構成された保護制御モジュールと
を備えることを特徴とする保護装置。
【請求項２】
前記判定モジュールと前記保護制御モジュールとの間に接続され、前記第１切断信号をレベルシフト信号に変換し、該レベルシフト信号を前記保護制御モジュールへ送信するように構成されたレベルシフトモジュールを備え、
前記保護制御モジュールは前記レベルシフト信号に従って前記バッテリアセンブリをオフに制御すること
を特徴とする請求項１に記載の保護装置。
【請求項３】
N=2M-1であって、
k番目の第１定電流源が(2k-1)番目のセルに並列に接続されており、kは1からMまでの整数であること
を特徴とする請求項１又は２に記載の保護装置。
【請求項４】
前記k番目の第１定電流源の出力電流が減少した場合、前記(2k-1)番目の電圧サンプリングユニットから出力されるサンプリング電圧が低下し、2k番目及び(2k-2)番目の電圧サンプリングユニットから出力されるサンプリング電圧が上昇することを特徴とする請求項３に記載の保護装置。
【請求項５】
前記判定モジュールはM-1個のコンパレータを有し、
k番目のコンパレータの第１入力端子は所定電圧に接続されており、
前記k番目のコンパレータの第２入力端子は2k番目の電圧サンプリングユニットに接続されており、
前記2k番目の電圧サンプリングユニットから出力されるサンプリング電圧が前記所定電圧より大きい場合、前記k番目のコンパレータは前記第１切断信号を生成すること
を特徴とする請求項３に記載の保護装置。
【請求項６】
前記M-1個のコンパレータのいずれか一つが前記第１切断信号を生成した場合、前記レベルシフトモジュールが前記レベルシフト信号を生成することを特徴とする請求項５に記載の保護装置。
【請求項７】
前記N個の電圧サンプリングユニット夫々は、直列に接続された第１抵抗器及び第２抵抗器を有することを特徴とする請求項１から６までのいずれか一つに記載の保護装置。
【請求項８】
前記k番目のコンパレータの前記第２入力端子は、前記2k番目の電圧サンプリングユニットの前記第１抵抗器と前記第２抵抗器との間に形成された第１ノードに接続されていることを特徴とする請求項７に記載の保護装置。
【請求項９】
1番目のセルの第１接続ワイヤは接地されており、
前記定電流源モジュールは、N番目のセルの第１接続ワイヤに接続された第２定電流源、及び前記N番目のセルの第２接続ワイヤに接続された第３定電流源を更に有すること
を特徴とする請求項１に記載の保護装置。
【請求項１０】
前記定電流源モジュールは、
直列に接続され、且つ前記N番目のセルの前記第１接続ワイヤと前記第２定電流源との間に接続された複数のダイオードと
前記N番目のセルの前記第２接続ワイヤと前記第３定電流源との間に接続され、前記ダイオードと前記第２定電流源との間に形成された第２ノードの電圧により制御されるスイッチングトランジスタと
を備えることを特徴とする請求項９に記載の保護装置。
【請求項１１】
前記N番目のセルの前記第２接続ワイヤが断線した場合、前記スイッチングトランジスタと前記第３定電流源との間に形成された第３ノードから第２切断信号が出力され、前記保護制御モジュールは前記第２切断信号に従って前記バッテリアセンブリをオフに制御することを特徴とする請求項１０に記載の保護装置。
【請求項１２】
前記N番目のセルの前記第１接続ワイヤと前記第２接続ワイヤが互いに接続されている場合、前記スイッチングトランジスタは前記第２ノードの電圧によってオンに制御されることを特徴とする請求項１０に記載の保護装置。
【請求項１３】
複数のセルを備えたバッテリアセンブリの保護システムであって、
前記複数のセルに夫々接続された複数のフィルタリング及び調整モジュールと、
請求項１から１２までのいずれか一つに記載の保護装置と、
前記バッテリアセンブリに直列に接続され、前記複数のセルと前記保護装置との間の接続ワイヤが断線した場合に前記保護装置によってオフに制御されるスイッチングモジュールと
を備えることを特徴とする保護システム。
【発明の詳細な説明】
【技術分野】
【０００１】
本開示の実施形態は、一般的にはバッテリの製造の分野に関し、特にはバッテリアセンブリの保護装置、及びバッテリアセンブリの保護システムに関する。
【背景技術】
【０００２】
複数のセルを有するバッテリアセンブリにおいて、その保護装置は、バッテリアセンブリの動作状態を判定するために各セルの電圧をリアルタイムで監視することが要求される。セルが保護装置に異常に接続されているか又は保護装置から切断されている場合に、セルの電圧が適時且つ正確に検知できないとき、保護装置は、充電又は放電状態にあるバッテリアセンブリを正確に保護する事ができず、したがってバッテリアセンブリを損傷させ、又は危険を引き起こしさえする。従来の保護装置の欠陥は検出の正確性が低いことであり、そのためにバッテリアセンブリが損傷する虞がある。
【先行技術文献】
【特許文献】
【０００３】
【特許文献１】米国特許出願公開2012/0179411号明細書
【発明の概要】
【発明が解決しようとする課題】
【０００４】
本開示の実施形態は、先行技術において存在する課題のうちの少なくとも一つを少なくともある程度解決することを目的とする。
【課題を解決するための手段】
【０００５】
このために、本開示の第１の目的は、バッテリアセンブリの保護装置であって、充電又は放電状態にあるセルを正確に保護するためにバッテリアセンブリのセルと保護装置との間の異常接続又は切断を適時且つ正確に検知することができ、よってセルへの損傷を軽減又は防止する保護装置を提供することにある。
【０００６】
本開示の他の目的は、バッテリアセンブリの保護システムであって、充電又は放電状態にあるセルを正確に保護するためにバッテリアセンブリのセルと保護システムとの間の異常な接続又は切断を適時且つ正確に検知することができ、よってセルへの損傷を軽減又は防止する保護システムを提供することにある。
【０００７】
本開示の第１態様の実施形態によると、バッテリアセンブリの保護装置が提供される。該バッテリアセンブリは、N個のセル（Nは3以上の整数）を備え、該保護装置は、前記N個のセル中のM個のセルに夫々並列に接続され、接続されたセルの電圧に従って出力電流を生成するように構成されたM個の第１定電流源を含む定電流源モジュールと、前記N個のセル夫々に並列に接続されサンプリング電圧を出力するように構成されたN個の電圧サンプリングユニットを含む電圧サンプリングモジュールと、該電圧サンプリングモジュールに接続され、前記N個の電圧サンプリングユニットのいずれか一つから出力されたサンプリング電圧が所定値に達した場合に第１切断信号を生成するように構成された判定モジュールと、該判定モジュールに接続され前記第１切断信号に従って前記バッテリアセンブリをオフにするように構成された保護制御モジュールとを備える。
【０００８】
本開示の保護装置によれば、セルと保護装置との間の異常接続又は切断が適時且つ正確に検知され得るため、保護装置が、充電又は放電状態にあるセルを正確に保護することができ、よってセルへの損傷を軽減又は防止する。
【０００９】
本開示の第２態様の実施形態によると、バッテリアセンブリの保護装置システムも提供される。該バッテリアセンブリは複数のセルを備え、該保護システムは、前記複数のセル夫々に接続された複数のフィルタリング及び調整モジュールと、本開示の第１態様による保護装置と、前記バッテリアセンブリに直列に接続され、前記複数のセルと前記保護装置との間の接続ワイヤが断線した場合にオフになるように前記保護装置に制御されるスイッチングモジュールとを備える。
【００１０】
本開示の保護システムよれば、セルと保護装置との間の異常接続又は切断が適時且つ正確に検出されうるため、保護装置が、充電又は放電状態にあるセルを正確に保護することができ、よってセルへの損傷を軽減又は防止する。
【図面の簡単な説明】
【００１１】
【図１】本開示のある一つの実施形態に係るバッテリアセンブリの保護装置の概略的ブロック図である。
【図２】本開示のある一つの実施形態に係る直列に接続された５個のセルを有するバッテリアセンブリの保護装置の概略図である。
【図３】本開示のある一つの実施形態に係る充電器に接続されたバッテリアセンブリの保護装置の概略図である。
【図４】本開示のある一つの実施形態に係る負荷抵抗器に接続されたバッテリアセンブリの保護装置の概略図である。
【図５】本開示のある一つの実施形態に係るバッテリアセンブリの保護装置により生成された様々な信号の波形を示す概略図である。
【図６】本開示のある一つの実施形態に係る保護制御モジュールの概略図である。
【図７】本開示の他の一つの実施形態に係るバッテリアセンブリの保護装置の概略的ブロック図である。
【図８】本開示の他の一つの実施形態に係る直列に接続された５個のセルを有するバッテリアセンブリの保護装置の概略図である。
【図９】本開示の他の一つの実施形態に係る充電器に接続されたバッテリアセンブリの保護装置の概略図である。
【図１０】本開示の他の一つの実施形態に係る負荷抵抗器に接続されたバッテリアセンブリの保護装置の概略図である。
【図１１ａ】本開示のある一つの実施形態に係るレベルシフトモジュールの概略図である。
【図１１ｂ】本開示の他の一つの実施形態に係る保護制御モジュールの概略図である。
【図１２】本開示のある一つの実施形態に係るバッテリアセンブリの保護システムの概略的ブロック図である。
【発明を実施するための形態】
【００１２】
本開示の実施形態のその他の態様及び利点は以下の説明により部分的に与えられ、以下の説明により部分的に明らかになり、又は本開示の実施形態による実施から習得される。
【００１３】
本開示の上記及び他の態様及び利点は、添付の図を参照した以下の説明により、明らかになり、より容易に認識される。
【００１４】
以下の説明において、本開示の実施形態が詳細に述べられる。実施形態の例は添付の図により示され、同じ又は類似の要素、及び同じ又は類似の機能を有する要素は明細書中で同一の参照番号により示される。ここで図面を参照して説明される実施形態は説明及び図解上のものであり、本開示を一般的に理解するために用いられる。実施形態は本開示を限定すると解されるべきものではない。一方、本開示の実施形態は、特許請求の範囲及びその均等物の原理及び趣旨の範囲内での改変、代替、変更をすべて含む。
【００１５】
本開示の記述において、「第１」及び「第２」等の用語はここでは説明の目的で用いられ、相対的な重要性を明示又は暗示することを意図するものではない。本開示の記述において、「接続された」及び「結合された」という用語は、構造物が互いに、強固又は一体的に、若しくは可動な状態で、直接に、又は介在構造を介して間接的に固定又は取り付けられた関係を指す。更に、別に明記しない限り、「接続された」及び「結合された」は物理的又は機械的な接続又は結合に限られない。当業者は、特定の状況に係る本開示の具体的な意味を理解すべきである。本開示の記述においては、別段特定されない限り、「以上」は２つ以上を意味する。
【００１６】
フローチャートに記述されたいかなる方法若しくはプロセス、又は他の手段は、特定の論理機能又はプロセスを達成するための手順の１つ以上の実行可能な命令コードを含むモジュール、セグメント、又は部分と理解されうる。本開示の望ましい実施形態は他の実行方法を含み、該実行方法は示され又は述べられた順序の代わりとなる順序、ほとんど同時に行う方法や逆順序でも達成されることがあってもよく、そのことは本開示の実施形態が属する技術分野の当業者により認められる。
【００１７】
図１は、本開示のある一つの実施形態に係るバッテリアセンブリの保護装置の概略的ブロック図である。図２は、本開示のある一つの実施形態に係る直列に接続された５個のセルを有するバッテリアセンブリの保護装置の概略図である。図２の保護装置は説明及び図解のためのみのものであり、バッテリアセンブリ中のセル数の限定に用いられるものではない。
【００１８】
図１に示されるように、バッテリアセンブリはN個のセルを備える。ここで、Nは3以上の整数である。保護装置は、定電流源モジュール100、電圧サンプリングモジュール200、判定モジュール300、及び保護制御モジュール400を備える。定電流源モジュール100は、M個の第１定電流源を有する。ここで、MはN未満の正の整数である。M個の第１定電流源は、N個のセル中のM個のセルに夫々並列に接続されて、接続されたセルの電圧に従って出力電流を生成するように構成されている。換言すると、ある第１定電流源がセルに接続されている場合、当該第１定電流源は定電流を出力し、当該第１定電流源がセルから切断されている場合、当該第１定電流源から出力される電流は減少する。電圧サンプリングモジュール200はN個の電圧サンプリングユニットを有する。N個の電圧サンプリングユニットは、N個のセルに夫々並列に接続されており、サンプリング電圧を出力するように構成されている。判定モジュール300は、電圧サンプリングモジュール200に接続されており、N個の電圧サンプリングユニットのいずれか一つから出力されるサンプリング電圧が所定値に達した場合に第１切断信号を生成するように構成されている。保護制御モジュール400は、判定モジュール300に接続されており、第１切断信号に従ってバッテリアセンブリをオフに制御するように構成されている。
【００１９】
図２を参照すると、保護装置は、接続ワイヤの端子A1,A2,A3,A4,A5を介してセルV1,V2,V3,V4,V5の電圧を夫々サンプリングする。図２において、抵抗器R1,R2,R3,R4,R5はセルV1,V2,V3,V4,V5夫々に対するローパスフィルタ抵抗器であり、コンデンサC1,C2,C3,C4,C5はセルV1,V2,V3,V4,V5夫々に対するローパスフィルタコンデンサであり、L0,L1,L2,L3,L4,L5はセルV1,V2,V3,V4,V5夫々に対する電圧サンプリング用ワイヤである。
【００２０】
本開示の実施形態においては、各セルに対する保護電圧閾値は予め定められている。保護装置がバッテリアセンブリに接続されている場合、セルV1,V2,V3,V4,V5の電圧が接続ワイヤの端子A1,A2,A3,A4,A5を介して夫々サンプリングされ、次いでサンプリングされた電圧がローパスフィルタ抵抗器R1,R2,R3,R4,R5により夫々減衰させられる。N個の電圧サンプリングユニットのいずれか一つによりサンプリングされた電圧が所定電圧閾値に達した場合、バッテリアセンブリと保護装置とが切断されていると判定され、保護制御が実行される。N個の電圧サンプリングユニットによりサンプリングされた電圧のいずれもが所定電圧閾値に達しない場合、保護装置は動作しない。
【００２１】
一の実施形態においては、Nは2M-1に等しくてもよく、k番目の第１定電流源が(2k-1)番目のセルに並列に接続されていてもよい。ここで、kは1からMまでの整数である。k番目の第１定電流源の出力電流が減少した場合、(2k-1)番目の電圧サンプリングユニットから出力されるサンプリング電圧が低下し、2k番目及び(2k-2)番目の電圧サンプリングユニットから出力されるサンプリング電圧が上昇する。
【００２２】
具体的には、図２を参照すると、バッテリアセンブリは5個のセルを備える。定電流源モジュール100は３個の第１定電流源110,120及び130を有する。３個の第１定電流源110,120及び130は５個のセルのうち奇数番のものに夫々並列に接続されている。換言すると、第１定電流源110はセルV1に並列に接続されており、第１定電流源120はセルV3に並列に接続されており、第１定電流源130はセルV5に並列に接続されている。第１定電流源110,120及び130は夫々、接続されているセルの電圧に従って出力電流を生成する。セルの接続ワイヤの１本が断線した場合、第１定電流源110,120又は130の出力電流は減少する。例えば、セルV1とセルV2との間の接続ワイヤが断線した場合、第１定電流源110の出力電流は減少する。再び図２を参照すると、電圧サンプリングモジュール200は、セルV1,V2,V3,V4,V5に夫々並列に接続され、サンプリング電圧を出力するように構成された５個の電圧サンプリングユニット210,220,230,240,250を有する。換言すると、電圧サンプリングユニット210はセルV1に並列に接続され、電圧サンプリングユニット220はセルV2に並列に接続され、電圧サンプリングユニット230はセルV3に並列に接続され、電圧サンプリングユニット240はセルV4に並列に接続され、電圧サンプリングユニット250はセルV5に並列に接続されている。更に、電圧サンプリングユニット210は第１定電流源110に並列に接続され、電圧サンプリングユニット230は第１定電流源120に並列に接続され、電圧サンプリングユニット250は第１定電流源130に並列に接続されている。第１定電流源110,120及び130のいずれか一つの出力電流が減少した場合、第１定電流源110,120及び130の該当する一つに対応する電圧サンプリングユニットから出力されるサンプリング電圧が低下し、隣接する電圧サンプリングユニットから出力されるサンプリング電圧が上昇する。例えば、第１定電流源120の出力電流が減少した場合、電圧サンプリングユニット230から出力されるサンプリング電圧が低下し、電圧サンプリングユニット220及び240から出力されるサンプリング電圧が上昇する。
【００２３】
一の実施形態においては、N個の電圧サンプリングユニット夫々は直列に接続された第１抵抗器及び第２抵抗器を有する。第１ノードが第１抵抗器と第２抵抗器との間に形成されている。
【００２４】
具体的には、図２を参照すると、電圧サンプリングユニット210は直列に接続された第１抵抗器R11及び第２抵抗器R12を有し、電圧サンプリングユニット220は直列に接続された第１抵抗器R21及び第２抵抗器R22を有し、電圧サンプリングユニット230は直列に接続された第１抵抗器R31及び第２抵抗器R32を有し、電圧サンプリングユニット240は直列に接続された第１抵抗器R41及び第２抵抗器R42を有し、電圧サンプリングユニット250は直列に接続された第１抵抗器R51及び第２抵抗器R52を有する。
【００２５】
一の実施形態においては、判定モジュール300はM-1個のコンパレータを有し、k番目のコンパレータの第１入力端子は所定電圧に接続され、k番目のコンパレータの第２入力端子は2k番目の電圧サンプリングユニットに接続され、2k番目の電圧サンプリングユニットから出力されるサンプリング電圧が所定電圧より大きい場合、k番目のコンパレータは第１切断信号を生成する。
【００２６】
具体的には、図２を参照すると、判定モジュール300は２個のコンパレータ310及び320を有する。コンパレータ310及び320夫々の第１入力端子は所定電圧に接続され、コンパレータ310の第２入力端子は、セルV2に並列に接続された電圧サンプリングユニット220の第１ノードに接続され、コンパレータ320の第２入力端子は、セルV4に並列に接続された電圧サンプリングユニット240の第１ノードに接続されている。
【００２７】
電圧サンプリングユニット220から出力されるサンプリング電圧が所定電圧より大きい場合、コンパレータ310は第１切断信号を生成する。電圧サンプリングユニット240から出力されるサンプリング電圧が所定電圧より大きい場合、コンパレータ320は第１切断信号を生成する。次いで、保護制御モジュール400は、第１切断信号に従ってバッテリアセンブリをオフに制御する（すなわち、バッテリアセンブリの充電又は放電を停止する）。
【００２８】
本開示の一の実施形態においては、1番目のセルの第１接続ワイヤは接地されていてもよく、定電流源モジュール100は、N番目のセルの第１接続ワイヤに接続された第２定電流源140及びN番目のセルの第２接続ワイヤに接続された第３定電流源150を更に有していてもよい。定電流源モジュール100は、スイッチングトランジスタ及び複数のダイオードを更に有していてもよい。複数のダイオードは直列に接続され、且つN番目のセルの第１接続ワイヤと第２定電流源140との間に接続されている。スイッチングトランジスタはN番目のセルの第２接続ワイヤと第３定電流源150との間に接続され、ダイオードと第２定電流源140との間に形成された第２ノードの電圧により制御される。N番目のセルの第２接続ワイヤが断線した場合、スイッチングトランジスタと第３定電流源150との間に形成された第３ノードから第２切断信号が出力され、保護制御モジュールは第２切断信号に従ってバッテリアセンブリをオフに制御する。しかしながら、N番目のセルの第１接続ワイヤ及び第２接続ワイヤが互いに接続されている場合、切断信号は生成されない。すなわち、スイッチングトランジスタは、第２ノードの電圧によりオンとなるように制御されるため、第２切断信号は変わらず、保護装置は作動しない。
【００２９】
図２に示されるように、定電流源モジュール100は直列に接続された３個のダイオードD1,D2及びD3を更に有する。３個のダイオードD1,D2及びD3は端子A4と第２定電流源140との間に接続され、第２ノードがダイオードD3と第２定電流源140との間に形成される。スイッチングトランジスタM5は端子A5と第３定電流源150との間に接続され、第２ノードの電圧により制御される。第３ノードが端子A5と第３定電流源150との間に形成される。端子A5が切断された場合、第２切断信号が第３ノードから出力される。
【００３０】
幾つかの具体的応用例においては、端子A4及び端子A5は共に接続されていてもよい。斯かる場合においては、誤判定を回避するために、端子A4及びA5が共に接続されている（すなわち、端子A4の電圧が端子A5の電圧と等しい）場合、スイッチングトランジスタM5はオンとなるように制御されるため、第２切断信号は変化せず、本開示の保護装置は作動しない。換言すると、端子A4及びA5が互いに接続されている場合、第２切断信号は生成されない。
【００３１】
電圧サンプリングワイヤL1,L2,L3,L4,L5及びローパスフィルタ抵抗器R1,R2,R3,R4,R5がサンプリング端子A1,A2,A3,A4,A5にしっかりと接続されている場合、すなわち端子A1,A2,A3,A4,A5が切断されていない場合、定電流源モジュール100は正常に動作し、電圧サンプリングに影響を与えることなく定電流を取り出す。異常切断又は通常切断が電圧サンプリングワイヤL1,L2,L3,L4,L5とサンプリング端子A1,A2,A3,A4,A5との間で生じた場合、保護装置はバッテリアセンブリをオフに制御する。更に、異常切断又は通常切断がローパスフィルタ抵抗器R1,R2,R3,R4,R5とサンプリング端子A1,A2,A3,A4,A5との間で発生した場合も、保護装置はバッテリアセンブリをオフに制御する。
【００３２】
本開示をより明確に理解するために、本開示の実施形態に係る保護装置の複数の動作状態が図２を参照して以下に記述される。
【００３３】
（１）端子A1が切断された場合
第１定電流源110は端子A1から端子A0へ流れる定電流を常に取り出すため、端子A1が切断された場合、端子A1は要求される電流を第１定電流源110へ供給することができない。すなわち第１定電流源110の出力電流は減少し、端子A0と端子A1との間の電圧も低下する。しかしながら、端子A0及び端子A2が正常に接続されているため、すなわち端子A0と端子A2との間の電圧が一定であるため、端子A0と端子A1との間の電圧が低下した場合、端子A1と端子A2との間の電圧は増加する。換言すると、電圧サンプリングユニット220の第１ノード（すなわち、第１抵抗器R21と第２抵抗器R22との接続点)の電圧が上昇する。電圧サンプリングユニット220の第１ノードの電圧が所定電圧に達した場合、コンパレータ310は第１切断信号を出力し、それによって保護制御モジュール400がバッテリアセンブリをオフにするように制御し、よってバッテリアセンブリの保護が達成される。
【００３４】
（２）端子A2が切断された場合
第１定電流源120は端子A3から端子A2へ流れる定電流を常に取り出すため、端子A2が切断された場合、第１定電流源120に電流を供給する閉回路が端子A2で切断される。すなわち第１定電流源120の出力電流が減少し、端子A2と端子A3との間の電圧も低下する。しかしながら、端子A1及び端子A3が正常に接続されているため、すなわち端子A1と端子A3との間の電圧が一定であるため、端子A2と端子A3との間の電圧が低下した場合、端子A1と端子A2との間の電圧が上昇する。換言すると、電圧サンプリングユニット220の第１ノード（すなわち、第１抵抗器R21と第２抵抗器R22との間の接続点)の電圧が上昇する。電圧サンプリングユニット220の第１ノードの電圧が所定電圧に達した場合、コンパレータ310が第１切断信号を出力し、それによって保護制御モジュール400がバッテリアセンブリをオフにするように制御し、よってバッテリアセンブリの保護が達成される。
【００３５】
（３）端子A3が切断された場合
第１定電流源120は端子A3から端子A2へ流れる定電流を常に取り出すため、端子A3が切断された場合、端子A3は要求される電流を第１定電流源120へ供給することができない。すなわち第１定電流源120の出力電流が減少し、端子A2と端A3との間の電圧も低下する。しかしながら、端子A2及び端子A4が正常に接続されているため、すなわち端子A2と端子A4との間の電圧が一定であるため、端子A2と端子A3との間の電圧が低下した場合、端子A3と端子A4との間の電圧が上昇する。換言すると、電圧サンプリングユニット240の第１ノード（すなわち、第１抵抗器R41と第２抵抗器R42との接続点）の電圧が上昇する。電圧サンプリングユニット240の第１ノードの電圧が所定電圧に達した場合、コンパレータ320が第１切断信号を出力し、それによって保護制御モジュール400がバッテリアセンブリをオフにするように制御し、よってバッテリアセンブリの保護が達成される。
【００３６】
（４）端子A4が切断された場合
第１定電流源130は端子A5から端子A4へ流れる定電流を常に取り出すため、端子A4が切断された場合、第１定電流源130に電流を供給する閉回路が端子A4で切断される。すなわち第１定電流源130の出力電流が減少し、端子A4と端子A5との間の電圧も低下する。しかしながら、端子A3及び端子A5が正常に接続されているため、すなわち端子A3と端子A5との間の電圧が一定であるため、端子A4と端子A5との間の電圧が低下した場合、端子A3と端子A4との間の電圧が上昇する。換言すると、電圧サンプリングユニット240の第１ノード（すなわち、第１抵抗器R41と第２抵抗器R42との接続点）の電圧が上昇する。電圧サンプリングユニット240の第１ノードの電圧が所定電圧に達した場合、コンパレータ320が第１切断信号を出力し、それによって保護制御モジュール400がバッテリアセンブリをオフにするように制御し、よってバッテリアセンブリの保護が達成される。
【００３７】
（５）端子A5が切断された場合
端子A5が切断された場合の処理方法は、端子A1,A2,A3又はA4が切断された場合とは異なる。第３定電流源150はセルV5の第２接続ワイヤを介して端子A5からグラウンドへ流れる定電流を常に取り出すため、端子A5が切断された場合、第３定電流源150はグラウンドへ流れる電流を供給できず、よって第２切断信号が第３ノードから出力される。それによって、保護制御モジュール400は、第２切断信号に従ってバッテリアセンブリをオフにするように制御し、よってバッテリアセンブリの保護が達成される。
【００３８】
（６）端子A1及び端子A2が共に切断された場合
端子A0及び端子A3が正常に接続されているため、すなわち端子A0と端子A3との間の電圧が一定であるため、端子A0と端子A1との間の電圧及び端子A2及び端子A3との間の電圧が低下した場合、端子A1と端子A2との間の電圧が上昇する。換言すると、電圧サンプリングユニット220の第１ノード（すなわち、第１抵抗器R21と第２抵抗器R22との接続点）の電圧が上昇する。電圧サンプリングユニット220の第１ノードの電圧が所定電圧に達した場合、コンパレータ310が第１切断信号を出力し、それによって保護制御モジュール400がバッテリアセンブリをオフにするように制御し、よってバッテリアセンブリの保護が達成される。
【００３９】
（７）端子A3及び端子A4が共に切断された場合
端子A2及び端子A5が正常に接続されているため、すなわち端子A2と端子A5との間の電圧が一定であるため、端子A2と端子A3との間の電圧及び端子A4と端子A5との間の電圧が低下した場合、端子A3と端子A4との間の電圧が上昇する。換言すると、電圧サンプリングユニット240の第１ノード（すなわち、第１抵抗器R41と第２抵抗器R42との接続点）の電圧が上昇する。電圧サンプリングユニット240の第１ノードの電圧が所定電圧に達した場合、コンパレータ320が第１切断信号を出力し、それによって保護制御モジュール400がバッテリアセンブリをオフにするように制御し、よってバッテリアセンブリの保護が達成される。
【００４０】
図３は、本開示のある一つの実施形態に係る充電器に接続されたバッテリアセンブリの保護装置の概略図である。切断が生じた場合、保護制御モジュール400はバッテリアセンブリをオフにするように制御し、よって充電器がバッテリアセンブリを充電することを禁止する。 
【００４１】
図４は、本開示のある一つの実施形態に係る負荷抵抗器に接続されたバッテリアセンブリの保護装置の概略図である。切断が生じた場合、保護制御モジュール400はバッテリアセンブリをオフにするように制御し、よってバッテリアセンブリの放電が禁止される。
【００４２】
図５は、本開示のある一つの実施形態に係るバッテリアセンブリの保護装置により生成された様々な信号の波形を示す概略図である。図５に示されるように、幾つかの実施形態においては、第１切断信号がハイレベルである場合、保護制御モジュールから出力される出力制御信号はローレベルであり、バッテリアセンブリはオフに制御される。幾つかの実施形態においては、図５に示されるように、第２切断信号がローレベルである場合、保護制御モジュールから出力される出力制御信号はローレベルであり、バッテリアセンブリはオフに制御される。本開示の他の実施形態においては、第１切断信号がローレベルである場合、バッテリアセンブリはオフに制御され得る。または、第２切断信号がハイレベルである場合に、バッテリアセンブリはオフに制御され得る。
【００４３】
上述の動作状態に加えて、端子A1及び端子A3が共に切断された場合、端子A1及び端子A4が共に切断された場合、並びに端子A1、端子A2及び端子A3が切断された場合等の他の状態も起こり得る。これらの動作原理は上で述べた状態に類似しているため、ここでは説明を省略する。
【００４４】
図６は、本開示のある一つの実施形態に係る保護制御モジュール400の概略図である。図６に示されるように、保護制御モジュール400は直列に接続された１個のNANDゲートと２個のNOTゲートを有する。出力C0及び出力D0は共にCMOSの出力であり、出力C0と出力D0との違いは、D0から出力されるローレベルはGNDであり、C0から出力されるローレベルはP-であることである。D0及びC0から出力されるローレベルは夫々、第１スイッチ及び第２スイッチに接続されており、それらをオフに制御する。
【００４５】
本開示の保護装置によれば、セルと保護装置との間の異常接続又は切断が適時且つ正確に検出され得るため、保護装置は充電又は放電状態にあるセルを正確に保護することができ、よってセルへの損傷を軽減又は防止することができる。
【００４６】
図７は、本開示の他の一つの実施形態に係るバッテリアセンブリの保護装置の概略的ブロック図である。図８は、本開示の他の一つの実施形態に係る直列に接続された５個のセルを有するバッテリアセンブリの保護装置の概略図である。図８の保護装置は単に説明及び図解のためのものであり、バッテリアセンブリのセルの個数を限定するために用いられるものではない。
【００４７】
図７に示されるように、バッテリアセンブリはN個のセルを備える。ここでNは3以上の整数である。保護装置は、定電流源モジュール100、電圧サンプリングモジュール200、判定モジュール300、レベルシフトモジュール500、及び保護制御モジュール400を備える。定電流源モジュール100は、M個の第１定電流源を有する。ここで、MはN未満の正の整数である。M個の第１定電流源は夫々N個のセル中のM個のセルに並列に接続され、接続されたセルの電圧に従って出力電流を生成するように構成されている。換言すると、一つの第１定電流源がセルに接続されている場合、当該第１定電流源は定電流を出力し、当該第１定電流源がセルから切断された場合、当該第１定電流源から出力される電流は減少する。電圧サンプリングモジュール200はN個の電圧サンプリングユニットを有する。N個の電圧サンプリングユニットは夫々、N個のセルに並列に接続されており、サンプリング電圧を出力するように構成されている。判定モジュール300は電圧サンプリングモジュール200に接続されており、N個の電圧サンプリングユニットのいずれか一つから出力されるサンプリング電圧が所定値に達した場合に第１切断信号を生成するように構成されている。レベルシフトモジュール500は判定モジュール300に接続されており、第１切断信号をレベルシフト信号に変換して当該レベルシフト信号を保護制御モジュール400へ送信するように構成されている。保護制御モジュール400はレベルシフトモジュール500に接続されており、レベルシフト信号に従ってバッテリアセンブリをオフに制御するように構成されている。
【００４８】
図８を参照すると、保護装置は、接続ワイヤの端子A1,A2,A3,A4,A5を介してセルV1,V2,V3,V4,V5の電圧を夫々サンプリングする。図８において、抵抗器R1,R2,R3,R4,R5は夫々のセルV1,V2,V3,V4,V5のローパスフィルタ抵抗器であり、コンデンサC1,C2,C3,C4,C5は夫々のセルV1,V2,V3,V4,V5のローパスフィルタコンデンサであり、L0,L1,L2,L3,L4,L5は夫々のセルV1,V2,V3,V4,V5の電圧サンプリングワイヤである。
【００４９】
本開示の実施形態においては、各セルの保護電圧閾値は予め決定されている。保護装置がバッテリアセンブリに接続されている場合、セルV1,V2,V3,V4,V5の電圧は接続ワイヤの端子A1,A2,A3,A4,A5を介して夫々サンプリングされ、次いでサンプリングされた電圧はローパスフィルタ抵抗器R1,R2,R3,R4,R5により夫々減衰させられる。N個の電圧サンプリングユニットのいずれか一つによりサンプリングされた電圧が所定電圧閾値に達した場合、バッテリアセンブリと保護装置とが切断されていると判定され、保護制御が実行される。N個の電圧サンプリングユニットによりサンプリングされた電圧のいずれも所定電圧閾値に達しない場合、保護装置は動作しない。
【００５０】
一の実施形態においては、Nは2M-1に等しくてもよく、k番目の第１定電流源は(2k-1)番目のセルに並列に接続されていてもよい。ここで、kは1からMまでの整数である。k番目の第１定電流源の出力電流が減少した場合、(2k-1)番目の電圧サンプリングユニットから出力されるサンプリング電圧が低下し、2k番目及び(2k-2)番目の電圧サンプリングユニットから出力されるサンプリング電圧が上昇する。
【００５１】
具体的には、図８を参照すると、バッテリアセンブリは５個のセルを備える。定電流源モジュール100は、３個の第１定電流源110,120及び130を有する。３個の第１定電流源110,120及び130は５個のセルの奇数番目のものに夫々並列に接続されている。換言すると、第１定電流源110はセルV1に並列に接続されており、第１定電流源120はセルV3に並列に接続されており、第１定電流源130はセルV5に並列に接続されている。第１定電流源110,120及び130は夫々、接続されているセルの電圧に従って出力電流を生成する。セルの接続ワイヤの１本が断線した場合、第１定電流源110,120又は130の出力電流が減少する。例えば、セルV1とセルV2との間の接続ワイヤが断線した場合、第１定電流源110の出力電流が減少する。再び図２を参照すると、電圧サンプリングモジュール200は、セルV1,V2,V3,V4,V5に夫々並列に接続され、サンプリング電圧を出力するように構成された５個の電圧サンプリングユニット210,220,230,240,250を有する。換言すると、電圧サンプリングユニット210はセルV1に並列に接続され、電圧サンプリングユニット220はセルV2に並列に接続され、電圧サンプリングユニット230はセルV3に並列に接続され、電圧サンプリングユニット240はセルV4に並列に接続され、電圧サンプリングユニット250はセルV5に並列に接続されている。更に、電圧サンプリングユニット210は第１定電流源110に並列に接続され、電圧サンプリングユニット230は第１定電流源120に並列に接続され、電圧サンプリングユニット250は第１定電流源130に並列に接続されている。第１定電流源110,120及び130のいずれか一つの出力電流が減少した場合、第１定電流源110,120及び130の該当する一つに対応する電圧サンプリングユニットから出力されるサンプリング電圧が低下し、隣接する電圧サンプリングユニットから出力されるサンプリング電圧が上昇する。例えば、第１定電流源120の出力電流が減少した場合、電圧サンプリングユニット230から出力されるサンプリング電圧が低下し、電圧サンプリングユニット220及び240から出力されるサンプリング電圧が上昇する。
【００５２】
一の実施形態においては、N個の電圧サンプリングユニット夫々は直列に接続された第１抵抗器及び第２抵抗器を有する。第１ノードが第１抵抗器と第２抵抗器との間に形成されている。
【００５３】
具体的には、図８を参照すると、電圧サンプリングユニット210は直列に接続された第１抵抗器R11及び第２抵抗器R12を有し、電圧サンプリングユニット220は直列に接続された第１抵抗器R21及び第２抵抗器R22を有し、電圧サンプリングユニット230は直列に接続された第１抵抗器R31及び第２抵抗器R32を有し、電圧サンプリングユニット240は直列に接続された第１抵抗器R41及び第２抵抗器R42を有し、電圧サンプリングユニット250は直列に接続された第１抵抗器R51及び第２抵抗器R52を有する。
【００５４】
一の実施形態においては、判定モジュール300はM-1個のコンパレータを有し、k番目のコンパレータの第１入力端子は所定電圧に接続され、k番目のコンパレータの第２入力端子は2k番目の電圧サンプリングユニットに接続され、2k番目の電圧サンプリングユニットから出力されるサンプリング電圧が所定電圧より大きい場合、k番目のコンパレータは第１切断信号を生成する。
【００５５】
具体的には、図８を参照すると、判定モジュール300は２個のコンパレータ310及び320を有する。コンパレータ310及び320夫々の第１入力端子は所定電圧に接続され、コンパレータ310の第２入力端子はセルV2に並列に接続された電圧サンプリングユニット220の第１ノードに接続され、コンパレータ320の第２入力端子はセルV4に並列に接続された電圧サンプリングユニット240の第１ノードに接続されている。
【００５６】
電圧サンプリングユニット220から出力されるサンプリング電圧が所定電圧より大きい場合、コンパレータ310は第１切断信号を生成する。電圧サンプリングユニット240から出力されるサンプリング電圧が所定電圧より大きい場合、コンパレータ320は第１切断信号を生成する。次いで、レベルシフトモジュール500が第１切断信号をレベルシフト信号に変換することにより、保護制御モジュール400はレベルシフト信号に従ってバッテリアセンブリをオフに制御する(すなわち、バッテリアセンブリの充電又は放電を停止する)。
【００５７】
本開示の一の実施形態においては、1番目のセルの第１接続ワイヤは接地されていてもよく、定電流源モジュール100は、N番目のセルの第１接続ワイヤに接続された第２定電流源140及びN番目のセルの第２接続ワイヤに接続された第３定電流源150を更に有していてもよい。定電流源モジュール100はスイッチングトランジスタ及び複数のダイオードを更に有していてもよい。複数のダイオードは直列に接続され、且つN番目のセルの第１接続ワイヤと第２定電流源140との間に接続されている。スイッチングトランジスタはN番目のセルの第２接続ワイヤと第３定電流源150との間に接続され、ダイオードと第２定電流源140との間に形成された第２ノードの電圧により制御される。N番目のセルの第２接続ワイヤが断線した場合、スイッチングトランジスタと第３定電流源150との間に形成された第３ノードから第２切断信号が出力され、保護制御モジュールは第２切断信号に従ってバッテリアセンブリをオフに制御する。しかしながら、N番目のセルの第１接続ワイヤ及び第２接続ワイヤが互いに接続されている場合、切断信号は生成されない。すなわち、スイッチングトランジスタは第２ノードの電圧によりオンに制御されるため、第２切断信号は変化せず、保護装置は作動しない。
【００５８】
図８に示されるように、定電流源モジュール100は直列に接続された３個のダイオードD1,D2,及びD3を更に有する。３個のダイオードD1,D2,及びD3は端子A4と第２定電流源140との間に接続され、第２ノードがダイオードD3と第２定電流源140との間に形成される。スイッチングトランジスタM5が端子A5と第３定電流源150との間に接続され、第２ノードの電圧により制御される。第３ノードが端子A5と第３定電流源150との間に形成される。端子A5が切断された場合、第２切断信号が第３ノードから出力される。
【００５９】
幾つかの具体的応用例においては、端子A4及び端子A5は互いに接続されていてもよい。斯かる場合においては、誤判定を回避するために、端子A4及び端子A5が互いに接続されている（すなわち、端子A4の電圧が端子A5の電圧に等しい）場合、スイッチングトランジスタM5はオンに制御されるため、第２切断信号は変化せず、本開示の保護装置は作動しない。換言すると、端子A4及び端子A5が互いに接続されている場合、第２切断信号は生成されない。
【００６０】
電圧サンプリングワイヤL1,L2,L3,L4,L5及びローパスフィルタ抵抗器R1,R2,R3,R4,R5がサンプリング端子A1,A2,A3,A4,A5にしっかりと接続されている場合、すなわち端子A1,A2,A3,A4,A5が切断されていない場合、定電流源モジュール100は正常に動作し、電圧サンプリングに影響を与えることなく定電流を取り出す。換言すると、通常のセルの電圧を減衰させた後に得られた電圧は所定電圧閾値に達することができず、そのため保護装置は動作せず、セルの通常の充電及び放電に影響を与えない。異常切断又は通常切断が電圧サンプリングワイヤL1,L2,L3,L4,L5とサンプリング端子A1,A2,A3,A4,A5との間で生じた場合、保護装置はバッテリアセンブリをオフに制御する。更に、異常切断又は正常切断がローパスフィルタ抵抗器R1,R2,R3,R4,R5とサンプリング端子A1,A2,A3,A4,A5との間で生じた場合も、保護装置はバッテリアセンブリをオフに制御する。
【００６１】
本開示をより明確に理解するために、本開示の実施形態に係る保護装置の複数の動作状態が図８を参照して以下に記述される。
【００６２】
（１）端子A1が切断された場合
第１定電流源110は端子A1から端子A0へ流れる定電流を常に取り出すため、端子A1が切断された場合、端子A1は要求される電流を第１定電流源110へ供給することができない。すなわち第１定電流源110の出力電流が減少し、端子A0と端子A1との間の電圧も低下する。しかしながら、端子A0及び端子A2が正常に接続されているため、すなわち端子A0と端子A2との間の電圧が一定であるため、端子A0と端子A1との間の電圧が低下した場合、端子A1と端子A2との間の電圧が上昇する。換言すると、電圧サンプリングユニット220の第１ノード（すなわち、第１抵抗器R21と第２抵抗器R22との接続点）の電圧が上昇する。電圧サンプリングユニット220の第１ノードの電圧が所定電圧に達した場合、コンパレータ310は第１切断信号を出力し、レベルシフトモジュール500は第１切断信号をレベルシフト信号へと変換し、当該レベルシフト信号を保護制御モジュール400へ送信する。保護制御モジュール400はバッテリアセンブリをオフにするように制御し、よってバッテリアセンブリの保護が達成される。
【００６３】
（２）端子A2が切断された場合
第１定電流源120は端子A3から端子A2へ流れる定電流を常に取り出すため、端子A2が切断された場合、第１定電流源120に電流を供給する閉回路が端子A2で切断される。すなわち第１定電流源120の出力電流が減少し、端子A2と端子A3との間の電圧も低下する。しかしながら、端子A1及び端子A3が正常に接続されているため、すなわち端子A1と端子A3との間の電圧が一定であるため、端子A2と端子A3との間の電圧が低下した場合、端子A1と端子A2との間の電圧が上昇する。換言すると、電圧サンプリングユニット220の第１ノード（すなわち、第１抵抗器R21と第２抵抗器R22との接続点）の電圧が上昇する。電圧サンプリングユニット220の第１ノードの電圧が所定電圧に達した場合、コンパレータ310は第１切断信号を出力し、レベルシフトモジュール500は第１切断信号をレベルシフト信号へと変換し、当該レベルシフト信号を保護制御モジュール400へ送信する。保護制御モジュール400はバッテリアセンブリをオフにするように制御し、よってバッテリアセンブリの保護が達成される。
【００６４】
（３）端子A3が切断された場合
第１定電流源120は端子A3から端子A2へ流れる定電流を常に取り出すため、端子A3が切断された場合、端子A3は要求される電流を第１定電流源120へ供給することができない。すなわち、第１定電流源120の出力電流が減少し、端子A2と端子A3との間の電圧も低下する。しかしながら、端子A2及び端子A4が正常に接続されているため、すなわち端子A2と端子A4との間の電圧が一定であるため、端子A2と端子A3との間の電圧が低下した場合に端子A3と端子A4との間の電圧が上昇する。換言すると、電圧サンプリングユニット240の第１ノード（すなわち、第１抵抗器R41と第２抵抗器R42との接続点）の電圧が上昇する。電圧サンプリングユニット240の第１ノードの電圧が所定電圧に達した場合、コンパレータ320は第１切断信号を出力し、レベルシフトモジュール500は第１切断信号をレベルシフト信号へと変換し、当該レベルシフト信号を保護制御モジュール400へ送信する。保護制御モジュール400はバッテリアセンブリをオフにするように制御し、よってバッテリアセンブリの保護が達成される。
【００６５】
（４）端子A4が切断された場合
第１定電流源130は端子A5から端子A4へ流れる定電流を常に取り出すため、端子A4が切断された場合、第１定電流源130に電流を供給する閉回路が端子A4で切断される。すなわち、第１定電流源130の出力電流が減少し、端子A4と端子A5との間の電圧も低下する。しかしながら、端子A3及び端子A5が正常に接続されているため、すなわち端子A3と端子A5との間の電圧が一定であるため、端子A4と端子A5との間の電圧が低下した場合、端子A3と端子A4との間の電圧が上昇する。換言すると、電圧サンプリングユニット240の第１ノード（すなわち、第１抵抗器R41と第２抵抗器R42との接続点）の電圧が上昇する。電圧サンプリングユニット240の第１ノードの電圧が所定電圧に達した場合、コンパレータ320は第１切断信号を出力し、レベルシフトモジュール500は第１切断信号をレベルシフト信号へと変換し、当該レベルシフト信号を保護制御モジュール400へ送信する。保護制御モジュール400はバッテリアセンブリをオフにするように制御し、よってバッテリアセンブリの保護が達成される。
【００６６】
（５）端子A5が切断された場合
端子A5が切断された場合の処理方法は、端子A1,A2,A3又はA4が切断された場合とは異なる。第３定電流源150はセルV5の第２接続ワイヤを介して端子A5からグラウンドへ流れる定電流を常に取り出すため、端子A5が切断された場合、第３定電流源150はグラウンドへ流れる電流を供給できず、よって第２切断信号が第３ノードから出力される。次いで、レベルシフトモジュール500が第２切断信号をレベルシフト信号へと変換し、当該レベルシフト信号を保護制御モジュール400へ送信するため、保護制御モジュール400は、第２切断信号に従ってバッテリアセンブリをオフにするように制御し、よってバッテリアセンブリの保護が達成される。
【００６７】
（６）端子A1及び端子A2が共に切断された場合
端子A0及び端子A3が正常に接続されているため、すなわち端子A0と端子A3との間の電圧が一定であるため、端子A0と端子A1との間の電圧及び端子A2と端子A3との間の電圧が低下し、端子A1と端子A2との間の電圧が上昇する。換言すると、電圧サンプリングユニット220の第１ノード（すなわち、第１抵抗器R21と第２抵抗器R22との接続点）の電圧が上昇する。電圧サンプリングユニット220の第１ノードの電圧が所定電圧に達した場合、コンパレータ310は第１切断信号を出力し、レベルシフトモジュール500は第１切断信号をレベルシフト信号へと変換し、当該レベルシフト信号を保護制御モジュール400へ送信する。保護制御モジュール400はバッテリアセンブリをオフにするように制御し、よってバッテリアセンブリの保護が達成される。
【００６８】
（７）端子A3及び端子A4が共に切断された場合
端子A2及び端子A5が正常に接続されているため、すなわち端子A2と端子A5との間の電圧が一定であるため、端子A2と端子A3との間の電圧及び端子A4と端子A5との間の電圧が低下し、端子A3と端子A4との間の電圧が上昇する。換言すると、電圧サンプリングユニット240の第１ノード（すなわち、第１抵抗器R41と第２抵抗器R42との間の接続点）の電圧が上昇する。電圧サンプリングユニット240の第１ノードの電圧が所定電圧に達した場合、コンパレータ320は第１切断信号を出力し、レベルシフトモジュール500は第１切断信号をレベルシフト信号へと変換し、当該レベルシフト信号を保護制御モジュール400へ送信する。保護制御モジュール400はバッテリアセンブリをオフにするように制御し、よってバッテリアセンブリの保護が達成される。
【００６９】
図９は、本開示の他の一つの実施形態に係る充電器に接続されたバッテリアセンブリの保護装置の概略図である。切断が生じた場合、保護制御モジュール400はバッテリアセンブリをオフにするように制御し、よって充電器がバッテリアセンブリを充電することを禁止する。
【００７０】
図１０は、本開示の他の一つの実施形態に係る負荷抵抗器に接続されたバッテリアセンブリの保護装置の概略図である。切断が生じた場合、保護制御モジュール400はバッテリアセンブリをオフにするように制御し、よってバッテリアセンブリの放電を禁止する。
【００７１】
図５は、本開示のある一つの実施形態に係るバッテリアセンブリの保護装置により生成された様々な信号の波形を示す概略図である。図５に示されるように、幾つかの実施形態においては、第１切断信号がハイレベルである場合、保護制御モジュールから出力される出力制御信号はローレベルであり、バッテリアセンブリはオフに制御される。第２切断信号がローレベルである場合、保護制御モジュールから出力される出力制御信号はローレベルであり、バッテリアセンブリはオフに制御される。本開示の他の実施形態においては、第１切断信号がローレベルである場合、バッテリアセンブリはオフに制御され得る。または、第２切断信号がハイレベルである場合、バッテリアセンブリはオフに制御され得る。
【００７２】
上述の動作状態に加えて、端子A1及び端子A3が共に切断された場合、端子A1及び端子A4が共に切断された場合、並びに端子A1、端子A2及び端子A3が切断された場合等の他の状態も起こり得る。これらの動作原理は上で述べた状態に類似しているため、ここでは説明を省略する。
【００７３】
図１１aは、本開示のある一つの実施形態に係るレベルシフトモジュール500の概略図である。図１１ｂは、本開示の他一つの実施形態に係る保護制御モジュール400の概略図である。図１１ａに示されるように、Irefはチップ全体の基本電流源であり、他の構成要素は互いに鏡像関係にある。図１１ｂに示されるように、保護制御モジュール400は直列に接続された１個のNANDゲートと２個のNOTゲートを有する。出力C0及び出力D0は共にCMOSの出力であり、出力C0と出力D0との違いは、D0から出力されるローレベルはGNDであり、C0から出力されるローレベルはP-であることである。D0及びC0から出力されるローレベルは夫々、第１スイッチ及び第２スイッチに接続されており、それらスイッチをオフに制御する。
【００７４】
本開示の保護装置によれば、セルと保護装置との間の異常接続又は切断が適時且つ正確に検出され得るため、保護装置は充電又は放電状態にあるセルを正確に保護することができ、よってセルの損傷を軽減又は防止する。
【００７５】
図１２は、本開示のある一つの実施形態に係るバッテリアセンブリの保護システムの概略的ブロック図である。保護システムは、バッテリアセンブリ1000、複数のフィルタリング及び調整モジュール2000、保護装置3000、及びスイッチングモジュール4000を備える。
【００７６】
バッテリアセンブリ1000は複数のセルを有する。複数のフィルタリング及び調整モジュール2000は複数のセルに夫々接続されており、複数のフィルタリング及び調整モジュール2000の個数はセルの個数に等しい。図２及び図８に示されるように、５個のフィルタリング及び調整モジュール2000があり、それら５個のフィルタリング及び調整モジュール2000夫々は、ローパスフィルタ抵抗器及びローパスフィルタコンデンサを有する。具体的には、第１フィルタリング及び調整モジュール2000はローパスフィルタ抵抗器R1及びローパスフィルタコンデンサC1を有し、第２フィルタリング及び調整モジュール2000はローパスフィルタ抵抗器R2及びローパスフィルタコンデンサC2を有し、第３フィルタリング及び調整モジュール2000はローパスフィルタ抵抗器R3及びローパスフィルタコンデンサC3を有し、第４フィルタリング及び調整モジュール2000はローパスフィルタ抵抗器R4及びローパスフィルタコンデンサC4を有し、第５フィルタリング及び調整モジュール2000はローパスフィルタ抵抗器R5及びローパスフィルタコンデンサC5を有する。セルV1の正電極はローパスフィルタ抵抗器R1の一端に接続されており、ローパスフィルタ抵抗器R1の他端は電圧サンプリング端子A1及びローパスフィルタコンデンサC1の一端に夫々接続されており、ローパスフィルタコンデンサC1の他端は、電圧サンプリング端子A0及び電圧サンプリングワイヤL0に夫々接続されており、すなわち、セルV1の負電極に接続されている。しかしながら、セルV2の正電極はローパスフィルタ抵抗器R2の一端に接続されており、ローパスフィルタ抵抗器R2の他端は電圧サンプリング端子A2及びローパスフィルタコンデンサC2の一端に夫々接続されており、ローパスフィルタコンデンサC2の他端は接地されている。セルV3,V4,V5とそれらに対応するフィルタリング及び調整モジュール2000との間の接続（すなわち、セルV3と第３フィルタリング及び調整モジュール2000との接続、セルV4と第４フィルタリング及び調整モジュール2000との接続、及びセルV5と第５フィルタリング及び調整モジュール2000との接続）はセルV2と第２フィルタリング及び調整モジュール2000との接続と同様である。
【００７７】
保護装置3000は図１から図１１までに示されている。スイッチングモジュール4000はバッテリアセンブリ1000に直列に接続され、保護装置3000に制御され、第１スイッチ4100及び第２スイッチ4200を有する。バッテリアセンブリ1000と保護装置3000との間の接続ワイヤが断線した場合、スイッチングモジュール4000は保護装置3000によりオフに制御される。
【００７８】
本開示のいずれの部分も、ハードウェア、ソフトウェア、及びファームウェア、又はそれらの組み合わせによって達成されてもよいことが認められる。本開示の上記実施形態においては、複数の手順又は方法が記憶装置に記憶されたソフトウェア及びファームウェアにより達成され、適切な命令実行システムにより実行されてもよい。例えば、上記手順又は方法がハードウェアにより達成される場合、他の一つの実施形態においても同じであり、次に挙げる公知の従来技術のうちの一つ又はそれらの組み合わせが適用されてもよい。公知の従来技術は、論理ゲート回路を有しデータ信号の論理機能を実現するように構成された離散論理回路、組み合わせ論理ゲート回路を有する特定用途向け集積回路、プログラマブルゲートアレイ（ＰＧＡ）、フィールドプログラマブルゲートアレイ（ＦＰＧＡ）を含む。
【００７９】
本明細書を通して、「ある一つの実施形態」、「幾つかの実施形態」、「一の実施形態」、「他の例」、「ある一つの例」、「具体例」、又は「幾つかの例」に対する参照は、実施形態若しくは例に結び付けられた特定の特徴、構造、材料、又は性質が本開示の少なくとも一つの実施形態又は例に含まれることを意味する。よって、「幾つかの実施形態においては」、「一の実施形態においては」、「ある一つの実施形態においては」、「他の例においては」、「ある一つの例においては」、「具体例においては」、又は「幾つかの例においては」といった、本明細書を通して幾つもの箇所で現れる語句は、必ずしも本開示の同一の実施形態又は例を参照するものではない。更に、特定の特徴、構造、物質、又は性質は、１つ以上の実施形態又は例において、任意の適切な方法で組み合わされてもよい。
【００８０】
説明のための実施形態が示され記述されたが、上述の実施形態は本開示を限定するために解釈されるべきではなく、本開示の範囲及び原理から逸脱しない範囲での改変、代替、変更が可能であることが、当業者によって認められる。
【００８１】
関連出願の相互参照
本出願は、共に２０１２年１１月１９日に中華人民共和国国家知識産権局に出願された中国特許出願第201210468019.X号及び中国特許出願第201220611267.0号の優先権及び利益を主張している。その全開示は参照によって本明細書に組み込まれている。
【図１】
2016504898.tif 000003
【図２】
2016504898.tif 000004
【図３】
2016504898.tif 000005
【図４】
2016504898.tif 000006
【図５】
2016504898.tif 000007
【図６】
2016504898.tif 000008
【図７】
2016504898.tif 000009
【図８】
2016504898.tif 000010
【図９】
2016504898.tif 000011
【図１０】
2016504898.tif 000012
【図１１ａ】
2016504898.tif 000013
【図１１ｂ】
2016504898.tif 000014
【図１２】
2016504898.tif 000015
【国際調査報告】
2016504898.tif 000016
2016504898.tif 000017